(57)【要約】【課題】本発明は安価で確実なロックを可能とした樹脂製ボックスの扉ロック機構を提供することを目的とする。【解決手段】本体と扉とに取っ手部５を形成し、扉側取っ手部５ａは本体側取っ手部５ｂを被覆するような袋状の形状とし、本体側取っ手部５ｂは扉を閉じた状態で扉側取っ手部５ａ上下面近傍に設け、本体側取っ手部５ｂの端部は扉側取っ手部に平行するリブ６を折曲形成すると共に、扉側取っ手部５ａの外側にはスライド溝７を形成し、断面略コ字状に形成され、スライド溝７に嵌合可能である嵌合突起を設けたロック部品８をスライド溝７に嵌合し、ロック部品８をスライド移動することによりロック部品８がスライド溝７とリブ６とを挟持して本体に扉をロックすることを特徴とする。【選択図】        図１
2004224374.tif 000002
【特許請求の範囲】
【請求項１】
本体の前面に開口を有し、該開口を回動動作により開閉可能である扉で被覆して成る、各種電気機器等を収納するための樹脂製ボックスの扉ロック機構において、前記本体と扉に取っ手部を形成し、前記扉側取っ手部は本体側取っ手部を被覆するように袋状の形状とし、前記本体側取っ手部は扉を閉じた状態で前記扉側取っ手部上下面近傍に設け、前記本体側取っ手部の端部は扉側取っ手部に平行するリブを折曲形成すると共に、前記扉側取っ手部の外側にはスライド溝を形成し、断面略コ字状に形成され、前記スライド溝に嵌合可能である嵌合突起を設けたロック部品を前記スライド溝に嵌合し、前記ロック部品をスライド移動することにより前記ロック部品がスライド溝と前記リブとを挟持して前記本体に前記扉をロックすることを特徴とする樹脂製ボックスの扉ロック機構。
【発明の詳細な説明】
【０００１】
【発明の属する技術分野】
本体の前面に開口を有し、該開口を回動動作により開閉可能である扉で被覆して成る、各種電気機器等を収納するための樹脂製ボックスの扉ロック機構に関する。
【０００２】
【従来の技術】
従来の樹脂製ボックスは強風などにより扉が開放されないように、本体と扉に挿通孔を設け南京錠等で施錠していた。
また、小型の樹脂製ボックスであれば、挿通孔に電線の端材や針金等を挿通し縛って固定するものもあった。
その他、本体側の挿通孔にインサートナットを挿入し、扉側の挿通孔からねじを挿通しねじ止めして扉を固定していた。
このような樹脂製ボックスは取り付け場所の制約により、通常扉が右開きのものに対し、本体を逆さに取り付けて扉を左開きにする場合がある（例えば特許文献１参照。）。
【０００３】
【特許文献１】
実開昭６０−６６２１５号公報
【０００４】
【発明が解決しようとする課題】
しかしながら、上記第一の従来技術における樹脂製ボックスの扉固定構造では、見た目にも頑丈さが目立ち、小型の樹脂製ボックスになると南京錠の方が高価になってしまうことがあった。
また、第二の従来技術における樹脂製ボックスの扉固定構造では、工具がなくても電線の端材や針金等が簡単に外せるため、施錠の一つの目的であるセキュリティ性能が低いという欠点があった。
第三の従来技術における樹脂製ボックスの扉固定構造では、インサートナットの挿入は、成形時に行われることが多いが、インサートナットは高価であるため、全数取り付けるには製造費を引き上げてしまったり、一部だけ取り付けるには生産効率が下がってしまったりする欠点があった。また、インサートナットの挿入を成形後に行うと生産効率が下がってしまう他、インサートナットは特殊なもののため、将来インサートナットが必要になった場合に、入手が困難であるという欠点があった。
特許文献１における樹脂製ボックスの扉固定構造では、ロック部品が片側一方のみにスライドするので本体を逆さに取り付けた場合、ロック部品が自重で下がり解錠してしまうという欠点があった。
【０００５】
【課題を解決するための手段】
そこで本発明は、安価で確実なロックを可能とした樹脂製ボックスの扉ロック機構を提供することを目的とし、その構造は、本体と扉に取っ手部を形成し、扉側取っ手部は本体側取っ手部を被覆するような袋状の形状とし、本体側取っ手部は扉を閉じた状態で扉側取っ手部上下面近傍に設け、本体側取っ手部の端部は扉側取っ手部に平行するリブを折曲形成すると共に、扉側取っ手部の外側にはスライド溝を形成し、断面略コ字状に形成され、スライド溝に嵌合可能である嵌合突起を設けたロック部品をスライド溝に嵌合し、ロック部品をスライド移動することによりロック部品がスライド溝とリブとを挟持して本体に扉をロックすることを特徴とする。
【０００６】
【発明の実施の形態】
本発明に係る樹脂製ボックスの扉ロック機構は、扉を閉め、扉側取っ手部で本体側取っ手部を被覆し、扉側取っ手部に設けられたスライド溝に勘合されたロック部品をスライド移動させ、ロック部品に設けられた嵌合突起がスライド溝の部分で本体側取っ手部のリブと扉とを挟持させ、扉を本体にロックすることができる。
【０００７】
【実施例】
本発明に係る樹脂製ボックスの扉ロック機構の実施例を図１〜図２の添付図面に基づいて説明する。
【０００８】
樹脂製ボックス１は本体２の前面に開口３を有し、開口３を回動動作により開閉可能である扉４で被覆して構成される。樹脂製ボックス１の側面外側に取っ手部５が形成されるが、扉側取っ手部５ａは本体側取っ手部５ｂを被覆するような袋状の形状で、扉４を閉じた状態で本体側取っ手部５ｂは扉側取っ手部５ａ内側の上下面近傍に位置するように形成される。本体側取っ手部５ｂの先端は本体２の内側に向かってリブ６を折曲形成している。扉側取っ手部５ａには外側にスライド溝７を形成している。
【０００９】
ロック部品８は断面略コ字状に溝部９を形成し、溝部９の一部は巾を広くし挟持部１０を構成している。また、扉側取っ手部５ａに形成されたスライド溝７に嵌合可能である嵌合突起１１が設けられる。ロック部品８は扉側取っ手部５ａのスライド溝７に嵌合突起１１を嵌合させて取り付ける。扉４が本体２開口３を施蓋した状態でロック部品８を通常自重のかかる下側にスライド移動させ、挟持部１０に扉側取っ手部５ａの端部と本体側取っ手部５ｂのリブ６とを挟持させる。以上のように、本体２に扉４をロックする。
【００１０】
樹脂製ボックス１は、上下反転させても使用可能であるように上下対称に構成されている場合にも適用できるように、取っ手部５においても上下対称に、ロック部品８も上下対称に形成し、樹脂製ボックス１をどちら向きに取り付けても、ロック部品８が下側にスライド移動可能であるようにする。
【００１１】
また、本体側取っ手部５ｂのリブ６は南京錠等で施錠する際に、取っ手部５の補強としても用いられる。
【００１２】
【発明の効果】
本発明に係る樹脂製ボックスの扉ロック機構は、本体と扉に取っ手部を形成し、扉側取っ手部は本体側取っ手部を被覆するように袋状の形状とし、本体側取っ手部は扉を閉じた状態で扉側取っ手部上下面近傍に設け、本体側取っ手部の端部扉側取っ手部に平行するはリブを折曲形成すると共に、扉側取っ手部の外側にはスライド溝を形成し、断面略コ字状に形成され、スライド溝に嵌合可能である嵌合突起を設けたロック部品をスライド溝に嵌合し、ロック部品をスライド移動することによりロック部品がスライド溝とリブとを挟持して本体に扉をロックするため、安易な方法で且つ安価に、確実に扉を閉じておくことができ、樹脂製ボックスを屋外で使用した場合にも突風が吹いても扉が吹き飛ばされるようなことがない。
【図面の簡単な説明】
【図１】本発明に係る樹脂製ボックスの扉ロック機構を示す斜視図である。
【図２】図１におけるＡ部拡大図である。
【図３】本発明に係るロック部品を示す斜視図である。
【符号の説明】
１      樹脂製ボックス
２      本体
３      開口
４      扉
５ａ    扉側取っ手部
５ｂ    本体側取っ手部
６      リブ
７      スライド溝
８      ロック部品
９      溝部
１０    挟持部
１１    嵌合突起
【図１】
2004224374.tif 000003
【図２】
2004224374.tif 000004
【図３】
2004224374.tif 000005